(57)【要約】      （修正有）【課題】狭いスペースでも蓋部を開閉する操作が容易に行なえ、破損しにくく、不衛生になりにくいボタン操作式蓋付き容器を提供する。【解決手段】容器部側の係合部１４として、容器部１１の開口１２の外縁に沿って所定長さ外方へ張り出したアンダーカット状の張り出し部２１を設け、蓋部側の係合相手部１５として、蓋部１３の外縁に沿って所定長さ外方へ張り出す張り出し基部２２を設け、その外方部分に、アンダーカット状の張り出し部２１に係合するフック状の部分を張り出し基部２３に設け、さらに、蓋部１３に設けられた張り出し基部２２に、押しボタン２５を上下操作可能に配置し、蓋閉めにより係合部１４と係合相手部１５が係合した状態から、押しボタン２５を押し下げる操作によって、押しボタン２５が接触し、容器部１１の開口縁を内方へ弾性変形させるカム部３１を、容器部１１の開口１２の外面に設ける。【選択図】図１
2008001388.tif 000002
【特許請求の範囲】
【請求項１】
容器部とその開口を塞ぐ蓋部とを有し、開口を塞ぐときに、容器部に設けられている係合部と、蓋部に設けられている係合相手部とが係合して、蓋部が容器部にロックされる構成を有する蓋付き容器であって、
容器部側の係合部として、容器部の開口の外縁に沿って所定長さ外方へ張り出したアンダーカット状の張り出し部を設け、蓋部側の係合相手部として、蓋部の外縁に沿って所定長さ外方へ張り出す張り出し基部を設けるとともに、アンダーカット状の張り出し部に係合するフック状の部分を張り出し基部に設け、
蓋部に設けられた張り出し基部に、押しボタンを上下操作可能に配置し、蓋閉めにより係合部と係合相手部が係合した状態から、押しボタンを押し下げる操作によって、押しボタンが接触し、容器部の開口縁を内方へ弾性変形させるカム部を、容器部の開口の外面に設けたことを特徴とするボタン操作式蓋付き容器。
【請求項２】
容器部は、正方形ないしは長方形状の平面形状を有し、その開口の平行な２辺又は４辺にそれぞれアンダーカット状の張り出し部を設け、蓋部は、正方形ないしは長方形状の平面形状を有する容器部と適合する平面形状を有し、その４辺の少なくとも１辺の張り出し基部に、アンダーカット状の張り出し部に係合するフック状の部分を設けた構成を有している請求項１記載のボタン操作式蓋付き容器。
【請求項３】
容器部の開口の上縁にほぼ全周で接触する、パッキングが、蓋部の外縁よりも内側の下面に設けられている請求項１記載のボタン操作式蓋付き容器。
【請求項４】
カム部は、容器部の開口の外面に、押しボタンの上下動範囲と交差するように、外方へ滑らかに突き出した形状に形成されている請求項１記載のボタン操作式蓋付き容器。
【発明の詳細な説明】
【技術分野】
【０００１】
本発明は、容器部とその開口を塞ぐ蓋部とを有し、開口を塞ぐときに、容器部に設けられている係合部と、蓋部に設けられている係合相手部とが係合して、蓋部が容器部にロックされる構成を有するボタン操作式の蓋付き容器に関するものである。
【背景技術】
【０００２】
従来、密閉容器と呼ばれるものがあり、例えば、冷蔵庫に保存する食品の入れ物や、或いはお弁当箱などとして使用されている。これらは、中に入れたものを暖めるために、電子レンジに入れて加温されることもある。この密閉容器は、容器部とその開口を塞ぐ蓋部とを有し、蓋部は容器部に対して取り外し可能なものと、ヒンジにより開閉可能になっているものがある。このタイプの蓋付き容器には、例えば特開平６−１５６５１９号のシール容器や、特開平７−３３０００６号の通気栓付き密封容器の発明などがある。
【０００３】
上記の容器に見られる蓋の固定方法としては、蓋側に取り付けた比較的大き目のレバーを回転させて、容器側に設けた係合部に係合させ、或いは係合を外す構造によるものが多い。この構造を持つものでは、容器部、蓋部、レバー、係合部の取り付け位置が複雑に関係し合い、安定した密閉性を有する製品を製造することは、それほど容易ではない。蓋部を取り外すには、レバーをほぼ１８０度回転させる必要があり、狭いスペースで操作するには難点となる。
【０００４】
また、レバーの回転可能な構造のために、比較的小さい部品を、狭い箇所に組み付ける必要があり、それらの隙間に汚れが付着すると、洗浄しても取り除きにくく、食品を扱う場合には、不衛生であるという問題を生じる。レバーを回転させるには軸支構造が必要であるが、その軸支構造が破損すると容器本来の密閉機能が損なわれ、かつまた、容器としても事実上使用できないものとなる。
【０００５】
【特許文献１】特開平６−１５６５１９号
【特許文献２】特開平７−３３０００６号
【発明の開示】
【発明が解決しようとする課題】
【０００６】
本発明は上記の点に着目して成されたもので、その課題は、狭いスペースでも蓋部を開閉する操作が容易に行なえ、破損しにくく、不衛生になりにくいボタン操作式蓋付き容器を提供することである。
【課題を解決するための手段】
【０００７】
前記の課題を解決するため、本発明は、容器部とその開口を塞ぐ蓋部とを有し、開口を塞ぐときに、容器部に設けられている係合部と、蓋部に設けられている係合相手部とが係合して、蓋部が容器部にロックされる構成を有する蓋付き容器について、容器部側の係合部として、容器部の開口の外縁に沿って所定長さ外方へ張り出したアンダーカット状の張り出し部を設け、蓋部側の係合相手部として、蓋部の外縁に沿って所定長さ外方へ張り出す張り出し基部を設けるとともに、アンダーカット状の張り出し部に係合するフック状の部分を張り出し基部に設け、蓋部に設けられた張り出し基部に、押しボタンを上下操作可能に配置し、蓋閉めにより係合部と係合相手部が係合した状態から、押しボタンを押し下げる操作によって、押しボタンが接触し、容器部の開口縁を内方へ弾性変形させるカム部を、容器部の開口の外面に設けるという手段を講じたものである。
【０００８】
本発明に係るボタン操作式蓋付き容器は、容器部とその開口を塞ぐ蓋部とを１対とするもので、開口を塞ぐときに、容器部に設けられている係合部と、蓋部に設けられている係合相手部とが係合して、蓋部が容器部にロックされる構成を有している。係合部と係合相手部は、互いに係合してロック状態になるという意味では、前記のレバーによるものと同様である。なお、本発明においてロック状態とは、蓋部が容器部から離れないように固定されている状態を意味する。
【０００９】
本発明に係るボタン操作式蓋付き容器を、密閉容器に適用することは容易である。但しその場合には、容器部の開口の上縁にほぼ全周で接触させて密封するために、パッキングを、蓋部の外縁よりも内側の下面に設けることが必要になる。パッキングは、蓋部を容器部に対して加圧したときに、僅かに弾性変形するので、それによる圧縮量を勘案して、係合部と係合相手部との係合関係を設定する。なお、パッキングの弾力性は、係合が解除された後で蓋部を押し上げる作用もする。
【００１０】
本発明が対象とするボタン操作式蓋付き容器では、容器部側の係合部として、容器部の開口の外縁に沿って所定長さ外方へ張り出したアンダーカット状の張り出し部を設けている。張り出し部は、容器部から外方へ張り出した部分の意味であり、その形態がアンダーカット状であるというものである。張り出し部は、開口のさらに外縁にあり、外縁に沿って所要の長さ及び幅で張り出しているものである。
【００１１】
そして、蓋部側の係合相手部として、蓋部の外縁に沿って所定長さ外方へ張り出す張り出し基部を設けるとともに、アンダーカット状の張り出し部に係合するフック状の部分を張り出し基部に設ける。張り出し基部とは、フック状の部分を設けるための基礎になっている部分のことである。フック状の部分は、張り出し部の外側を回りこんで、アンダーカット状の部分に係合する形態を有する。従って、フック状の部分は、外縁に沿って一定の長さ及び幅で張り出した張り出し部よりも見かけ上やや大型になる。
【００１２】
上記の蓋部に設けられた張り出し基部に、押しボタンを上下操作可能に配置し、蓋閉めにより係合部と係合相手部が係合した状態から、押しボタンを押し下げる操作によって、押しボタンが接触すると、その圧力で容器部の開口縁を内方へ弾性変形させるカム部を、容器部の開口の外面に設ける。従って容器部の開口部分は、開口縁を内方へ移動させるために、弾性変形可能に設けられ、カム部は、容器部の開口の外面に、押しボタンの上下動範囲と交差するように、外方へ滑らかに突き出した形状に形成される。即ち、押しボタンの操作方向は上下方向であり、係合部と係合相手部の係合を外す方向は内外方向であるので、上下方向操作を内外方向運動に変換するために、カム部を容器部の開口の外面に設けている。
【００１３】
容器部は、正方形ないしは長方形状の平面形状を有するものとすることができるが、そのような形状の開口の場合には、平行な２辺又は４辺にそれぞれアンダーカット状の張り出し部を設けるものとする。それ以外の平面形状、例えば長円形（小判型）や、円形の場合にも、平行する部分を設けて、そこに、アンダーカット状の張り出し部を設けることができる。
【００１４】
容器部に対する蓋部は、正方形ないしは長方形状の平面形状を有する容器部と適合する平面形状を有するものとするが、アンダーカット状の張り出し部に係合するフック状の部分は、その４辺の少なくとも１辺の張り出し基部にだけ設けるものとすれば、発明の目的は達成される。張り出し基部を設けた辺と平行な辺においては、係合しているか或いはヒンジ結合されていれば、押しボタンによる係合解除機構を設けなくても、蓋部の開閉が可能になるからである。
【発明の効果】
【００１５】
本発明は上記のように構成されかつ作用するものであるから、上下操作可能に配置した押しボタンを、蓋閉めにより係合部と係合相手部が係合した状態から、押し下げる操作によってカムに接触させ、カムが設けられている容器部の開口縁を、カムへの接触圧力の分力で内方へ弾性変形させ、係合部と係合相手部の係合を外すことにより、狭いスペースでも蓋部を開閉する操作が容易に行なえるという効果を奏する。また、押しボタンは軸支構造を有していないので破損しにくく、不衛生になりにくいボタン操作式蓋付き容器を提供することができる。
【発明を実施するための最良の形態】
【００１６】
以下図示の実施形態を参照して、本発明をより詳細に説明する。各図は本発明に係るボタン操作式蓋付き容器１０の一例を示すもので、容器部１１と、その開口１２を塞ぐ蓋部１３とを１対とし、開口１２を塞ぐときに、容器部１１に設けられている係合部１４と、蓋部１３に設けられている係合相手部１５とが係合して、蓋部１３が容器部１１にロックされる構成である。
【００１７】
例示されている容器部１１は長方形状ないしは長円形に属する平面形状を有しており、蓋部１３と共に密閉容器を構成する。そしてこの例では、容器部１１の開口１２の平行な２辺に係合部１４を設け、蓋部１３の平行な２辺の内の１辺にのみ係合相手部１５を設けている。容器部１１については、その開口１２が形成されている部分は開口縁を内方へ一時的に移動させるために、弾性変形可能な構造を有している。
【００１８】
容器部１１は、開口１２の上縁１６が、蓋部１３の外延よりも内側の下面に設けられているパッキング１７にほぼ全周で接触するように構成されている（図４以下参照）。図示されている上縁１６は先細に形成され、パッキング１７にやや食い込むように接触する。これに対して、蓋部１３は、パッキング１７を配置した溝を形成している内縁１８と外縁１９を有し、容器部１１に蓋部１３を被せたとき、内縁１８は容器部上縁１６の内側に配置され、外縁１９は容器部上縁１６の外側に配置される。
【００１９】
このような容器部側の係合部１４として、容器部１１の開口１２の外縁に沿って所定長さ外方へ張り出した、アンダーカット状の張り出し部２１を、図１に示す範囲に亘って、設けている。張り出し部２１は、図７に示すように、容器部１１から外方へ張り出した部分の下側が切除され、係合可能なアンダーカット状になっている部分である。図示の張り出し部２１は、開口１２の外縁に沿って一定の長さ及び幅で張り出している。２１ａは張り出し部外面に設けたガイド斜面であり、後述するフック状部分内面に形成されたガイド斜面２３ａと接触し、係合状態になるように誘導する。
【００２０】
上記蓋部側の係合相手部１５として、蓋部１３の外縁に沿って所定長さ外方へ張り出す張り出し基部２２を設け、その外方の部分に、アンダーカット状の張り出し部２１に係合するフック状の部分２３を設けている。張り出し基部２２は、フック状の部分２３を設けるための基礎を形成しており、フック状の部分２３は、張り出し部２１の外側を回りこんで、アンダーカット状の張り出し部２１に係合可能に設けられている。このフック状の部分２３は、蓋部外縁に沿って張り出した張り出し部２１に、一定の長さに亘り係合する。
【００２１】
蓋部１３に設けた張り出し基部２２に、上下方向の窓部２４を形成し、そこに、押しボタン２５を上下操作可能に配置する。押しボタン２５は、窓部２４内に設けられている、内側段部２６と外側段部２７にそれぞれ係止可能な、高低差を有する内側係止部２８と外側係止部２９を有しており、この範囲で上下動可能とされている（図６Ａ、Ｂ参照）。上下動範囲の上限は、蓋閉めにより、後述するカム部３１と接触して押し上げられている状態であり、下限は、係合から外れ、或いは蓋部１３を外して押しボタン２５がぶら下がっているような状態である。押しボタン２５が上限にあるときには、蓋部１３の上面とほぼ同じか或いは僅かに出る程度とし、誤操作によりロックが外れることを防止する。
【００２２】
カム部３１は、容器部１１の開口１２の外面に、押しボタン２５の上下動範囲と交差するように、外方へ滑らかに突き出した形状に形成されている。滑らかな形状は、押しボタン２５の押し下げ運動を内方への弾性変形に転換するためのカム面であり、外方へ突き出す量は、係合部１４と係合相手部１５の係合を外すために必要なカム寸法である。図示の例において、カム部３１は、３個の突起３２から成り、間に隙間３３を設けているが、これは主として肉抜きによる変形防止のためである。なお、３個の突起３２から成るカム部３１の長さは、押しボタン２５の長さとほぼ等しい。
【００２３】
このような構成を有する本発明に係るボタン操作式蓋付き容器１０では、蓋部１３を閉じ、係合部１４と係合相手部１５が係合させることにより、係合部１４が係合相手部１５に固定され、蓋部１３は容器部１１に簡単には外れない状態に置かれる。図４、図５の状態である。図６ＡからＢに示すように、押しボタン２５を押し下げると、押しボタン２５の端部２５ａがカム面３２を加圧し、その圧力の側方分力で容器部１１の開口縁が内方へ弾性変形することになる（図６Ｂ）。そのため、係合部１４の張り出し部２１が内方へ移動して、係合相手部１５のフック状部分２３から外れ、ロックが解除されるので、蓋部１３を持ち上げて容器を開くことができる。その際、パッキング１７の弾力性が蓋部１３を押し上げ得ることは既に説明した。
【００２４】
上記の構成及び作用の説明では、係合部１４と係合相手部１５に関する事項のみを説明しているが、図２Ａの符号Ｐで示した部分には、これまでに説明した係合部１４と係合相手部１５から成る係合により、蓋部１３が容器部１１にロックされる構成を設けることができる。しかしそのようにせず、上記した係合部１４と係合相手部１５を外した後でだけ取り外すことができる、単なる係合構成を設けても良い。その係合構成は図４、図５に示してあり、アンダーカット状の張り出し部２１と、そこに係合するフック状の部分２３だけを有し、押しボタン２５による係合解除手段を必要としていない。
【産業上の利用可能性】
【００２５】
このような本発明のボタン操作式蓋付き容器は、コンテナボックスのような大型収納容器、片側ヒンジ構造の工具箱、化粧品容器、液体容器などに使用可能である。
【図面の簡単な説明】
【００２６】
【図１】本発明に係るボタン操作式蓋付き容器の一例を示す斜視図である。
【図２】Ａは図１に示した蓋部の上面図、Ｂは同じく容器部の部分平面図である。
【図３】図１に示したものの側面図である。
【図４】図３のＩＶ−ＩＶ線断面図である。
【図５】図３のＶ−Ｖ線断面図である。
【図６】カム部の作用を説明するもので、Ａはロック状態を示す断面図、Ｂはロック解除操作状態を示す断面図である。
【図７】係合部と係合相手部の関係を説明するもので、Ａは係合状態を示す断面図、Ｂは係合解除状態を示す断面図である。
【符号の説明】
【００２７】
１０  ボタン操作式蓋付き容器
１１  容器部
１２  開口
１３  蓋部
１４  係合部
１５  係合相手部
１６  上縁
１７  パッキング
１８  内縁
１９  外縁
２１  張り出し部
２２  張り出し基部
２３  フック状部分
２４  窓部
２５  押しボタン
２６  内側段部
２７  外側段部
２８  内側係止部
２９  外側係止部
３１  カム部
３２  突起
３３  隙間
【図１】
2008001388.tif 000003
【図２】
2008001388.tif 000004
【図３】
2008001388.tif 000005
【図４】
2008001388.tif 000006
【図５】
2008001388.tif 000007
【図６】
2008001388.tif 000008
【図７】
2008001388.tif 000009